(57)【特許請求の範囲】
【請求項１】
ａ）ＲＦＩＤモジュールが内蔵又は外装されている移動端末機を用いて、メニューにおける多数の製品それぞれにマッチされたタグのうち少なくとも一つからタグ情報を読み出す段階；
ａ−１）上記タグ情報を読み出した移動端末機は、通信網を介して上記タグ情報に相応するメインサーバーのＵＲＬを要請することにより、上記ＵＲＬを受信して保存する段階；
ｂ）上記タグ情報に相応するＵＲＬを通して上記メインサーバーに接続し、上記メインサーバーから上記タグ情報に相応する製品情報が上記移動端末機へ提供される段階；
ｃ）上記移動端末機が上記製品の数量を入力し注文要請メッセージを上記メインサーバーに伝送する段階；
ｄ）上記メインサーバーが上記注文要請メッセージを受信した後、上記注文にともなう決済を行なう段階；及び
ｅ）上記決済が完了すれば、上記メインサーバーと連結されたＰＯＳサーバーが厨房サーバーに上記注文メッセージの注文内訳を伝送する段階；
ｆ）上記ＰＯＳサーバーが、上記移動端末機またはオフライン（OFF-Line）を通して注文された注文内訳を、決済が完了した時間の順にリストアップして一括管理し、注文リストを厨房サーバー（Kitchen Sever）に伝送する段階；を含むことを特徴とするＲＦＩＤを用いた注文方法。
【請求項２】
上記製品情報は、
上記製品の価格、上記製品に用いられた材料、上記製品の原産地情報、及び上記製品が飲食物である場合は、上記飲食物の総カロリーのうち少なくとも一つを含むことを特徴とする請求項１に記載のＲＦＩＤを用いた注文方法。
【請求項３】
上記段階ｄ）は、
上記移動端末機が、上記メインサーバーから受信した決済方法リストのうち、上記移動端末機の料金に合算されるようにフォンビル（Phone Bill）項目を選択する場合、上記メインサーバーが、上記移動端末機の課金サーバーに上記注文内訳に対する決済額を伝送する段階；
上記メインサーバーが、上記課金サーバーから上記決済額が登録されたとの通知メッセージを受信した後、上記注文内訳に注文番号を割り当てる段階；及び
上記注文内訳、上記注文番号及び上記移動端末機の電話番号を上記ＰＯＳサーバーに伝送する段階；を含むことを特徴とする請求項１に記載のＲＦＩＤを用いた注文方法。
【請求項４】
上記段階ｄ）は、
上記移動端末機が上記メインサーバーから受信した決済方法リストのうち現金決済を選択する場合、上記注文内訳に相応する注文番号を上記注文内訳と共に上記ＰＯＳサーバー  及び上記移動端末機に伝送する段階；及び
上記注文番号を受信した上記移動端末機のユーザーが現金決済することによって、決済完了情報が上記ＰＯＳサーバー及び上記メインサーバーに登録される段階；を含むことを特徴とする請求項１に記載のＲＦＩＤを用いた注文方法。
【請求項５】
上記段階ｄ）は、
ｄ−３１）上記移動端末機が上記メインサーバーから受信した決済方法リストのうちカード決済を選択する場合、上記移動端末機のカード決済履歴が保存されているか否かを照会する段階；
ｄ−３２）上記照会の結果、上記カード決済履歴が保存されている場合は、上記カードの情報を読み出して、ユーザー認証のうえ決済を行なう段階；及び
ｄ−３３）上記注文内訳及び上記移動端末機の電話番号を上記ＰＯＳサーバーに伝送する段階；を更に含むことを特徴とする請求項１に記載のＲＦＩＤを用いた注文方法。
【請求項６】
上記段階ｄ）において、
上記段階ｄ−３１）の上記カード決済履歴が保存されていなかったり、上記段階ｄ−３２）のユーザーが他のカードで決済しようとする場合は、上記移動端末機の決済画面に該当カードの情報を入力する段階；及び
該当カードのカード会社サーバーが認証を行なう段階；を更に含むことを特徴とする請求項５に記載のＲＦＩＤを用いた注文方法。
【請求項７】
上記方法は、
上記厨房サーバーが上記注文リストのうち一つを選択すれば、注文待機状態から注文完了状態に変わったことを上記移動端末機に通知する段階を更に含むことを特徴とする請求項１に記載のＲＦＩＤを用いた注文方法。
【請求項８】
上記方法は、
上記厨房サーバーが、上記注文完了状態であることを上記移動端末機に伝送するまで、上記移動端末機は、上記注文内訳の取消又は変更を要請するメッセージを上記ＰＯＳサーバーに伝送することを特徴とする請求項７に記載のＲＦＩＤを用いた注文方法。
【請求項９】
上記製品情報は、上記製品の価格、上記製品の原産地情報、上記製品に用いられた材料、及び上記製品が飲食物である場合は、総カロリーのうち少なくとも一つを含むことを特徴とする請求項８に記載のＲＦＩＤを用いた注文方法。
【請求項１０】
上記段階ｃ）は、
上記メインサーバーが、上記移動端末機に追加注文の有無を問い合わせるメッセージを伝送する段階；及び
上記移動端末機から追加注文の要請を受信したら、追加注文の要請に応じたＷＡＰページを上記移動端末機に伝送する段階；を含むことを特徴とする請求項１に記載のＲＦＩＤを用いた注文方法。
【請求項１１】
ＲＦＩＤモジュールが内蔵又は外装されている移動端末機において、メニューにおける多数の製品それぞれにマッチされたタグのうち一つに相応するタグ情報を読み出し、通信網を介して上記読み出したタグ情報に相応するメインサーバーのＵＲＬを要請することにより、上記ＵＲＬを受信して保存し、上記タグ情報に相応するＵＲＬを通してメインサーバーに接続し、上記メインサーバーから上記タグ情報に相応する製品情報を受信する上記移動端末機；
ＲＦＩＤの上記タグ情報に相応する上記製品情報を保存及び管理して上記移動端末機に提供し、上記移動端末機の製品注文にともなって決済を行ない、その決済遂行結果をＰＯＳ（Position Of Sales）サーバーに伝送する上記メインサーバー；
上記メインサーバーから受信した上記決済遂行結果によって、上記注文による注文情報を厨房サーバーに伝送するＰＯＳ（Position Of Sales）サーバー；
を含み、
上記ＰＯＳサーバーは、
上記移動端末機またはオフライン（OFF-Line）を通して注文された注文内訳を、決済が完了した時間の順にリストアップして一括管理し、注文リストを厨房サーバーに伝送することを特徴とするＲＦＩＤを用いた注文システム。
【請求項１２】
上記システムは、
上記ＰＯＳサーバーから受信した上記注文リストに注文待機状態の項目を追加してディスプレイし、上記注文による製品が完成すれば、上記注文待機状態の項目が注文完了の項目に変わり、上記製品の注文完了に関する案内メッセージを上記ＰＯＳサーバーに伝送する厨房サーバーを更に含むことを特徴とする請求項１１に記載のＲＦＩＤを用いた注文システム。
【請求項１３】
上記メインサーバーは、
上記移動端末機から決済方法リストのうち上記決済が上記移動端末機の料金に合算されるように要請されれば、上記移動端末機の課金サーバーに上記注文内訳に対する決済額を伝送し、上記課金サーバーから上記決済額の登録通知メッセージを受信したら、上記注文内訳に注文番号を割り当て、上記注文内訳、上記注文番号及び上記移動端末機の電話番号を上記ＰＯＳサーバーに伝送することを特徴とする請求項１１乃至１２のうちいずれか１項に記載のＲＦＩＤを用いた注文システム。
【請求項１４】
上記メインサーバーは、
上記移動端末機から決済方法リストのうち現金決済要請を受信すれば、上記注文内訳に相応する注文番号を上記注文内訳と共に上記ＰＯＳサーバー及び上記移動端末機に伝送し、移動端末機のユーザーが現金決済することにより決済完了情報を受信したら、上記ＰＯＳサーバーに上記決済完了情報を伝送することを特徴とする請求項１１乃至１２のうちいずれか１項に記載のＲＦＩＤを用いた注文システム。
【請求項１５】
上記メインサーバーは、
上記移動端末機から決済方法リストのうちカード決済要請を受信すれば、上記移動端末機のカード決済履歴が保存されているか否かを照会し、上記カード決済履歴が保存されている場合は、上記カードの情報を読み出して、ユーザー認証のうえ決済を行なうことを特徴とする請求項１１乃至１２のうちいずれか１項に記載のＲＦＩＤを用いた注文システム。
【請求項１６】
上記メインサーバーは、
上記カード決済履歴が保存されていなかったり、ユーザーが他のカードで決済しようとする場合は、上記移動端末機の決済画面に該当カードの情報を入力するためにＷＡＰページを提供し、該当カードのカード会社サーバーと連動して認証を行なうことを特徴とする請求項１５に記載のＲＦＩＤを用いた注文システム。
【発明の詳細な説明】
【技術分野】
【０００１】
本発明は、近距離無線通信を用いた注文及び決済方法に関し、より詳しくは、顧客の移動端末機に内蔵又は外装されているＲＦＩＤ装置を用いてメニューを選択した後に代金決済すれば、厨房サーバーに登録され、飲食物注文完了時に移動端末機へ注文完了メッセージを伝送するようにしたり、又は移動端末機で注文したメニューについて、上記移動端末機に内蔵されているタグを通した認証を簡単に行なうことにより、注文した飲食物を容易にテイクアウト（Take-Out）できるＲＦＩＤを用いた注文方法及びそのシステムに関する。
【背景技術】
【０００２】
従来は、マクドナルド、バーガーキングなどのファーストフード店では、飲食物を注文するために直接並んで順番を待たなければならないため売り場が混雑し、注文前にメニューに関する事前知識が足りない場合は、メニューを決定して注文するのに多少時間がかかって、後ろに並んでいる人々が更に長く待たなければならないといった問題点があった。
【０００３】
また、食堂でも、たとえ注文をとる従業員がいても、その従業員が注文をとりに来るまで待たなければならない不便さがあり、食堂で提供されるメニューブックには限界があるため、飲食物に関する付加情報を得るために従業員に一つ一つ質問しても、従業員が全てのメニューに関して顧客一人一人が望む情報を提供するのは現実的に難しいという問題があった。
【０００４】
その上、ファーストフード店のようなテイクアウトが可能な飲食店では、運転手が車から降りなくても飲食物の注文及び決済が可能なシステムを備える場合があるが、たとえ車内でメニューの決定及び決済が可能であるとしても、メニュー決定後に決済の遂行及び飲食物の準備に所定の時間がかかるため、消費者が車内で長時間待たなければならないという問題点があった。
【発明の概要】
【発明が解決しようとする課題】
【０００５】
本発明は、上記した事情を勘案して創出されたもので、本発明の目的は、メニューにタグを付与することにより、顧客が所望のメニューを容易に移動端末機で選択し、また直ぐに決済可能なように具現されたＲＦＩＤを用いた注文方法及びそのシステムを提供することにある。
【０００６】
本発明の他の目的は、移動端末機で食堂到着前にメニューを注文すると共に位置情報及びタグ情報を提供して、移動端末機のユーザーが食堂に到着する時点に合わせて注文された飲食物が準備され、到着時には移動端末機に内蔵されているタグ情報を通して容易に認証した後、注文した飲食物をテイクアウトできるように具現されたＲＦＩＤを用いた注文方法及びそのシステムを提供することにある。
【課題を解決するための手段】
【０００７】
上記目的を達成するための本発明の第１観点によるＲＦＩＤを用いた注文方法は、
ｉ）ＲＦＩＤモジュールが内蔵又は外装されている移動端末機を用いて、メニューにおける多数の製品それぞれにマッチされたタグのうち一つに相応するタグ情報を読み出す段階；及び
ｉｉ）上記移動端末機が上記タグ情報に相応するＵＲＬを通してメインサーバーに接続し、上記メインサーバーから上記タグ情報に対応する製品情報が上記移動端末機へ提供される段階；を含む。
上記目的を達成するための本発明の第２観点によるＲＦＩＤを用いた注文方法は、
ａ）ＲＦＩＤモジュールが内蔵又は外装されている移動端末機を用いて、メニューにおける多数の製品それぞれにマッチされたタグのうち少なくとも一つからタグ情報を読み出す段階；
ｂ）上記移動端末機が、上記タグ情報に相応するＵＲＬを通してメインサーバーに接続し、上記メインサーバーから上記タグ情報に対応する製品情報が上記移動端末機へ提供される段階；
ｃ）上記移動端末機が上記製品の数量を入力し注文要請メッセージを上記メインサーバーに伝送する段階；
ｄ）上記メインサーバーが上記注文要請メッセージを受信した後、上記注文にともなう決済を行なう段階；及び
ｅ）上記決済が完了すれば、上記メインサーバーと連結されたＰＯＳサーバーが厨房サーバーに上記注文内訳を伝送する段階；を含む。
上記目的を達成するための本発明の第３観点によるＲＦＩＤを用いた注文方法は、
１）移動端末機が通信網を介してメインサーバーに接続してメニューを選択し決済を行なうことによって注文を完了する段階；
２）上記移動端末機が上記メインサーバーにタグ情報及び位置情報を伝送する段階；
３）上記メインサーバーが、上記位置情報に基づいて予想到着時間を演算し、上記タグ情報に基づいてユーザー認証を行なう段階；
４）上記ユーザー認証が完了すれば、上記注文に関する情報、上記予想到着時間、及び上記タグ情報をＰＯＳ（Point Of Sales）サーバーに伝送する段階；及び
５）上記ＰＯＳサーバーと連結されたＲＦＩＤリーダーを介して、上記移動端末機に内蔵されているタグ情報を読み出し、上記ＰＯＳサーバーが、上記メインサーバーから提供されたタグ情報と上記移動端末機から読み出されたタグ情報とを相互比較して、一致する場合は承認する段階；を含む。
上記目的を達成するための本発明の第４観点によるＲＦＩＤを用いた注文システムは、
ＲＦＩＤのタグ情報に相応する製品情報を保存及び管理して移動端末機に提供し、上記移動端末機の製品注文にともなって決済を行ない、その決済遂行結果をＰＯＳ（Position Of Sales）サーバーに伝送するメインサーバー；及び
上記メインサーバーから受信した上記決済遂行結果によって、上記注文による注文情報を厨房サーバーに伝送するＰＯＳ（Position Of Sales）サーバー；を含む。
上記目的を達成するための本発明の第５観点によるＲＦＩＤを用いた注文システムは、
通信網を介して接続した移動端末機にメニューを提供し、上記メニューの選択による決済画面を提供し、上記移動端末機から受信した位置情報に基づいて予想到着時間を演算し、上記タグ情報に基づいてユーザー認証を行なった後、上記ユーザー認証が完了すれば、上記注文に関する情報、上記予想到着時間、及び上記タグ情報をＰＯＳ（Point Of Sales）サーバーに伝送するメインサーバー；及び
ＲＦＩＤリーダーを介して読み出された、上記移動端末機に内蔵されているタグ情報を受信し、上記メインサーバーから提供されたタグ情報と上記移動端末機から読み出されたタグ情報とを相互比較して承認可否を決定するＰＯＳサーバー；を含む。
一方、本発明のＲＦＩＤを用いた遠隔注文方法は、端末機の位置情報を用いて、ユーザーから近距離にある加盟店をユーザーが選択できる機能も実現可能である。
このような実施例による遠隔注文方法は、
移動端末機が、遠隔注文のためのアプリケーションを駆動して自身の位置情報をメインサーバーに伝送する段階；
上記アプリケーションにより提供されるメニューを選択すれば、上記メニュー及び上記位置情報に相応する加盟店リストが上記移動端末機にディスプレイされる段階；
上記移動端末機が上記加盟店リストから加盟店を選択すれば、上記加盟店の位置情報が上記移動端末機にディスプレイされる段階；
上記移動端末機へ上記メニューに関する決済要請メッセージを伝送し、決済が完了すれば、上記移動端末機のＲＦＩＤタグに保存されている加入者情報及び上記注文内訳を、上記メインサーバーを介して上記加盟店のポス（Point Of Sales：ＰＯＳ）端末機に伝送する段階；及び
上記ポス端末機が上記ＲＦＩＤタグから上記加入者情報を読み出し、上記ポス端末機に保存されている加入者情報と比較して一致する場合は、上記注文内訳に相応する製品提供の承諾メッセージを上記ポス端末機にディスプレイする段階；を含む。
また、加盟店のリストを選択する他の実施例による遠隔注文方法は、
移動端末機が遠隔注文のためのアプリケーションを駆動してメニューを選択する段階；
上記メニュー及び加盟店の選択情報を受信したメインサーバーにより、上記メニューに対する決済を行なう段階；
上記メインサーバーが、上記移動端末機の位置情報を位置測位サーバーから提供され、上記移動端末機に上記位置情報を提供し、上記移動端末機に上記位置情報に相応する加盟店リストがディスプレイされる段階；
上記移動端末機が上記加盟店リストから加盟店を選択すれば、上記加盟店の位置情報が上記移動端末機にディスプレイされる段階；
上記メインサーバーが、上記移動端末機のＲＦＩＤタグに保存されている加入者情報及び上記注文内訳を上記加盟店のポス（Point Of Sales：ＰＯＳ）端末機に伝送する段階；及び
上記ポス端末機が、上記ＲＦＩＤタグから上記加入者情報を読み出し、上記ポス端末機に保存されている加入者情報と比較して、比較結果を上記ポス端末機にディスプレイする段階；を含む。
【図面の簡単な説明】
【０００８】
【図１】図１は、本発明の第１実施例によるＲＦＩＤを用いた注文システムを示した図である。
【図２】図２は、本発明の第２実施例によるＲＦＩＤを用いた注文システムを示した図である。
【図３】図３は、それぞれ本発明の第１及び第２実施例によるＲＦＩＤを用いた注文方法を説明するためのフローチャートである。
【図４】図４は、それぞれ本発明の第１及び第２実施例によるＲＦＩＤを用いた注文方法を説明するためのフローチャートである。
【図５】図５は、移動端末機に提供されるＷＡＰページの一例を示した図である。
【図６】図６は、移動端末機に提供されるＷＡＰページの一例を示した図である。
【図７】図７は、移動端末機に提供されるＷＡＰページの一例を示した図である。
【図８】図８は、移動端末機に提供されるＷＡＰページの一例を示した図である。
【図９】図９は、移動端末機に提供されるＷＡＰページの一例を示した図である。
【図１０】図１０は、本発明の第３実施例によるＲＦＩＤを用いた遠隔注文方法を説明するためのフローチャートである。
【図１１】図１１は、本発明の第４実施例によるＲＦＩＤを用いた遠隔注文方法を説明するためのフローチャートである。
【図１２】図１２は、本発明の第３及び第４実施例による遠隔注文を行なうために移動端末機にディスプレイされるＷＡＰページを示した図である。
【発明を実施するための形態】
【０００９】
以下、添付図面を参照しながら本発明の望ましい実施例について説明する。
［第１実施例］
図１は、本発明の第１実施例によるＲＦＩＤを用いた注文システムを示した図である。
【００１０】
一般に、ＲＦＩＤとは、バーコード、マグネティックカード、ＩＣカードのようなオートＩＤの一分野で、周波数を用いて事物の情報を無線で認識する方式である。
【００１１】
ＲＦＩＤの原理は、アンテナを通して、該当事物の情報が保存されているタグの情報を受信して該当事物の情報を取得するのに用いられるもので、電波を利用するため、環境の影響を受けにくく、高速環境の下でも認識可能であり、遠距離認識が可能で、タグの製造過程で固有の情報番号が付与されることから偽造不可能であるとの特徴がある。
【００１２】
本発明の第１実施例によるＲＦＩＤを用いた注文システムは、ファーストフード店、飲食店、又はレストランなどに入店したユーザーがＲＦＩＤを用いて飲食物、即ち、製品を注文できるシステムを提供し、同システムは、移動端末機１００、移動通信網３００、ＲＦＩＤシステム４００、メインサーバー５００、カード会社サーバー６００、及びＰＯＳシステム７００を含んで構成される。
【００１３】
移動端末機１００は、ＲＦＩＤモジュールが内蔵されているか、外装型ＲＦＩＤ装置（別名を“ドングル（Dongle）”という；１０５）が連結されていて、メニュー２００に備えられたタグ２２０を読み込む。
【００１４】
上記移動端末機１００は、読み込んだ上記タグ２２０のタグ情報を移動通信網３００を介してＲＦＩＤシステム４００に伝送し、上記ＲＦＩＤシステム４００の中継サーバー４１０は、上記移動端末機１００から受信した上記タグ情報をＵＡプロファイル（User Agent Profile）４２０へ伝送して加入者認証を行なうようにし、上記ＵＡプロファイル４２０での認証が完了すれば、ＯＤＳ（Object Directory Service）サーバー４３０に上記タグ情報を提供する。
【００１５】
上記ＯＤＳサーバー４３０は、上記タグ情報に相応するＯＩＳ（Object Identification Service）アドレス及びサービスＵＲＬを管理し、上記ＯＩＳアドレス及びサービスＵＲＬを上記中継サーバー４１０に提供する。
【００１６】
上記中継サーバー４１０は、上記ＯＩＳアドレスを通してＯＩＳ及びＯＴＳ（Object Tracking Service）に接近し上記タグ情報と関連した情報を照会するが、上記タグ情報と関連した情報の一例としては、タグの発給、廃棄、及び流通過程で発生したイベントなどがある。
【００１７】
上記中継サーバー４１０は、ＯＤＳサーバー４３０から獲得したサービスＵＲＬ情報を移動端末機に提供するが、上記サービスＵＲＬ情報は、上記タグ情報に相応する飲食物、即ち、製品に関する情報を保存しているメインサーバー５００のＵＲＬであり、このサービスＵＲＬ情報を上記移動端末機１００に伝送する。
【００１８】
上記メインサーバー５００は、ＲＦＩＤのタグ情報に相応する製品情報を保存及び管理して移動端末機１００に提供し、上記移動端末機１００の製品注文にともなって決済を行い、その決済遂行結果をＰＯＳ（Point Of Sales）サーバー７２０に伝送する。
【００１９】
上記メインサーバー５００の一例としては、マグドナルド、バーガーキングなどファーストフード店の中央管理サーバーがあって、各支店のＰＯＳシステム７００と連結される。
【００２０】
上記メインサーバー５００は、上記移動端末機１００に決済方法リストを伝送し、上記決済方法リストのうち決済額が上記移動端末機１００の料金に合算されて請求されるように要請されれば、上記移動端末機１００の課金サーバー（図示省略）に上記注文内訳による決済額情報を伝送する。
【００２１】
また、上記メインサーバー５００は、上記課金サーバーから上記決済額の登録通知メッセージを受信すれば、上記注文内訳に注文番号を割り当て、上記注文内訳、上記注文番号及び上記移動端末機の電話番号をＰＯＳシステム７００のＰＯＳサーバー７２０に伝送する。
【００２２】
上記移動端末機１００が、上記メインサーバー５００から伝送されてきた上記決済方法リストのうち現金決済を要請すれば、上記メインサーバー５００は、上記注文内訳に相応する注文番号を上記注文内訳と共に上記ＰＯＳサーバー７２０及び上記移動端末機１００に同時に伝送する。よって、上記移動端末機１００のユーザーが現金決済して、上記ＰＯＳシステム７００のオフライン（OFF-Line）端末機７４０を通して現金決済が完了したという決済完了情報が登録されれば、上記メインサーバー５００は上記ＰＯＳサーバー７２０に上記決済完了の情報を伝送する。
【００２３】
また、上記移動端末機１００が、上記メインサーバー５００から伝送されてきた上記決済方法リストのうちカード決済を要請すれば、上記移動端末機１００のカード決済履歴が上記移動端末機１００内のメモリー又は上記メインサーバー５００に保存されているか否かを照会し、上記カード決済履歴が保存されている場合は、上記カードの情報を読み出して、ユーザー認証のうえ決済を行なう。上記メインサーバー５００は、上記カード会社サーバー６００と連動して上記ユーザー認証を行ない、決済完了後に上記決済情報を上記カード会社サーバー６００に伝送する。
【００２４】
この時、上記メインサーバー５００は、上記カード決済履歴が保存されていなかったり、ユーザーが他のカードで決済しようとする場合は、上記移動端末機１００の決済画面に該当カードの情報を入力するようにＷＡＰページを提供し、該当カードのカード会社サーバーと連動して認証を行なう。
【００２５】
上記メインサーバー５００と連動する少なくとも一つの上記ＰＯＳシステム７００は、ＰＯＳサーバー７２０、オフライン端末機７４０、及び厨房サーバー７６０を含んでなる。
【００２６】
ＰＯＳサーバー７２０は、上記メインサーバー５００から受信した上記決済遂行結果によって上記注文による注文情報を厨房サーバー７６０に伝送する。
【００２７】
上記ＰＯＳサーバー７２０は、上記移動端末機１００を通した上記注文内訳及び上記オフライン（OFF-Line）端末機７４０を通した注文内訳を、決済が完了した時間の順に沿ってリストアップして一括管理し、注文リストを上記厨房サーバー７６０へ伝送して飲食物が準備されるようにする。
【００２８】
上記厨房サーバー７６０は、上記ＰＯＳサーバー７２０から受信した上記注文リストに注文待機状態の項目を追加して画面にディスプレイし、上記注文による製品である飲食物が完成すれば、上記注文待機状態の項目が注文完了の項目に変更登録され、上記製品の注文完了に関する案内メッセージを上記ＰＯＳサーバー７２０に伝送する。すると、上記ＰＯＳサーバー７２０は、上記移動通信網３００を介して上記案内メッセージを上記移動端末機１００に伝送し、上記移動端末機１００のユーザーが製品を受け取れば、上記リストから注文情報を削除する。上記案内メッセージの一例としては、テキストからなる文字メッセージ、音声メッセージ、又はテキスト、イメージ、動画のうち少なくとも一つを含むマルチメディアメッセージなどがある。
【００２９】
上述のような第１実施例による本発明の作動状態について、より詳しく説明する。
ＲＦＩＤモジュールが内蔵されているか又はＲＦＩＤ装置が外部に装着されている移動端末機１００を用いて、メニュー２００における多数の製品それぞれにマッチされたタグ２２０のうちの少なくとも一つからタグ情報を読み出す（Ｓ３１０）。
【００３０】
上記移動端末機１００は、上記タグ情報をＲＦＩＤシステム４００に伝送し、上記ＲＦＩＤシステム４００から上記タグ情報に相応する製品情報を保存及び管理するメインサーバー５００のＵＲＬ情報を獲得し、上記メインサーバー５００に接続する。
【００３１】
上記メインサーバー５００は上記タグ情報に相応する製品情報を上記移動端末機１００に伝送する（Ｓ３２０）。上記製品情報は、図５に示されたように、上記製品の製品名、上記製品の価格、上記製品の原産地情報、上記製品に用いられた材料、及び上記製品が飲食物である場合は総カロリーのうち少なくとも一つを含む。
【００３２】
上記移動端末機１００が上記製品の数量を入力し注文要請メッセージを上記メインサーバー５００に伝送すれば、上記メインサーバー５００は上記注文要請に従って決済を行なう（Ｓ３３０、Ｓ３４０）。
【００３３】
以下、上記メインサーバー５００が決済を行なう方法の例として、３つの方法を提示する。
【００３４】
第１の方法は、移動端末機１００がメインサーバー５００から受信した決済方法リストのうち現金決済を選択した場合、上記メインサーバー５００は上記注文内訳に相応する注文番号を上記注文内訳と共に上記ＰＯＳサーバー７２０及び上記移動端末機１００に伝送し、上記注文番号を受信した上記移動端末機１００のユーザーが現金決済することによって、決済完了情報が上記ＰＯＳサーバー７２０及び上記メインサーバー５００に登録される。
【００３５】
図６に示されたように、移動端末機１００の画面に決済方法を選択するウィンドウがポップアップされ、上記ポップアップウィンドウで［１．現金］を選択すれば、注文番号と共に案内メッセージが移動端末機１００の画面にディスプレイされる。
【００３６】
第２の方法は、上記移動端末機１００が、上記メインサーバー５００から受信した決済方法リストのうち、上記移動端末機１００の料金に合算されて請求されるようにフォンビル（Phone Bill）項目を選択すれば、上記メインサーバー５００は、上記移動端末機１００の属する移動通信社の課金サーバーに、上記注文内訳に対する決済額情報を伝送する方法である。図７を参照するに、移動端末機１００の画面に、移動端末機料金への合算時に付加される手数料の情報及び本人確認のための認証を行なうＷＡＰページがディスプレイされる。
【００３７】
この時、上記メインサーバー５００は、上記課金サーバーから上記決済額が登録されたとの通知メッセージを受信した後、上記注文内訳に注文番号を割り当て、上記注文内訳、上記注文番号及び上記移動端末機の電話番号を上記ＰＯＳサーバー７２０に伝送して、上記注文内訳に相応する飲食物が準備されるようにする。
【００３８】
第３の方法は、移動端末機１００が決済方法リストのうちカード決済を選択した場合、上記メインサーバー５００は上記移動端末機１００のカード決済履歴が上記移動端末機１００のメモリー又はメインサーバー５００に保存されているか否かを照会し、上記カード決済履歴が保存されている場合は、上記カードの情報を読み出して、ユーザー認証のうえ決済を行なう。図８は、移動端末機の料金を決済するクレジットカードがメインサーバーに保存されている場合で、上記クレジットカードに関する情報を移動端末機の画面にディスプレイした後、ユーザー認証を行なったうえで決済が可能なように具現されたＷＡＰページを示した図である。
【００３９】
しかし、図９に示されたように、上記カード決済履歴が保存されていなかったり、ユーザーが他のカードで決済しようとする場合は、上記移動端末機１００の決済画面に該当カードの情報を入力し、該当カードのカード会社サーバーによって行なわれる認証の結果が承認ならば、注文内訳及び上記移動端末機１００の電話番号を上記ＰＯＳサーバー７２０に伝送する。
【００４０】
上述の方法のうちの一つを通して決済が完了すれば、上記メインサーバー５００と連結されたＰＯＳサーバー７２０は、厨房サーバー７６０に上記注文内訳を伝送する（Ｓ３５０）。一応用例として、上記注文に対する決済が完了するか注文が要請されれば、注文番号が生成され、該当注文内訳と共に上記注文番号がＰＯＳサーバー７２０、厨房サーバー７６０、及び移動端末機１００間に伝送される。
【００４１】
上記注文内訳は［注文待機］項目と共に上記厨房サーバー７６０の画面にディスプレイされ、上記製品、即ち飲食物の注文が完了して、上記厨房サーバー７６０に注文完了を登録すれば、上記注文完了メッセージが上記ＰＯＳサーバー７２０に伝送され、上記ＰＯＳサーバー７２０は所定のディスプレイ部に注文番号をディスプレイしたり上記移動端末機１００に注文完了メッセージを伝送したりする（Ｓ３６０、Ｓ３７０）。
【００４２】
もし、上記ＰＯＳサーバー７２０に、上記移動端末機１００を通した上記注文内訳及びオフライン（OFF-Line）端末機７４０を通した注文内訳が登録されれば、上記ＰＯＳサーバー７２０は決済が完了した時間の順にリストアップして一括管理し、注文リストを周期的に厨房サーバー７６０へ伝送する。
【００４３】
上記厨房サーバー７２０が、上記注文が完了状態であることを上記移動端末機１００に伝送するまで、上記移動端末機１００は、上記注文内訳の取消又は変更を要請するメッセージを、上記ＰＯＳサーバー７２０に伝送することができる。
【００４４】
上記メインサーバー５００は、移動端末機１００に追加注文の有無を問い合わせるメッセージを伝送し、上記移動端末機１００から追加注文の要請を受信したら、追加注文の要請に従うＷＡＰページを上記移動端末機１００に伝送する。
【００４５】
［第２実施例］
図２は、本発明の他の実施例によるＲＦＩＤを用いた注文システムを示した図である。
【００４６】
本発明の第２実施例によるＲＦＩＤを用いた注文システムは、テイクアウト（Take-Out）を希望するユーザーが、ファーストフード店又は飲食店に到着する前に、予め飲食物の注文及び決済を行ない、到着したら移動端末機に内蔵されているタグを用いて短時間内に認証を行なった後、注文した飲食物を受け取れるように具現されたシステムである。
【００４７】
かかる注文システムは、第１実施例と構成要素は類似するが、ＰＯＳ（Point Of Sales）システム７００の構成は相違する。
【００４８】
また、第２実施例による移動端末機１２０は、固有のタグ情報を保存しており、第１実施例のようにタグを読み込むＲＦＩＤ装置を内蔵又は外装する必要はない。
【００４９】
メインサーバー５００は、上記移動端末機１２０に、飲食物を注文できるメニューを提供し、上記メニューの選択による決済画面を提供し、上記移動端末機１２０から受信した位置情報に基づいて予想到着時間を演算し、上記タグ情報に基づいてユーザー認証を行ない、上記ユーザー認証が完了すれば、上記注文に関する情報、上記予想到着時間、及び上記タグ情報をＰＯＳ（Point Of Sales）サーバー７２０に伝送する。
【００５０】
一応用例として、上記メインサーバー５００に接続した移動端末機１２０がタグ情報及び位置情報を伝送すれば、上記メインサーバー５００は、上記タグ情報をＲＦＩＤシステム４００に伝送し、上記タグ情報に基づいて上記移動端末機１２０に対する認証を行なった後、その結果を上記ＲＦＩＤシステム４００から受信する。即ち、上記メインサーバー５００は、上記移動端末機１２０に対する認証を行なった後、製品注文に関連したＷＡＰページを上記移動端末機１２０に伝送する。
【００５１】
ＰＯＳシステム７００は、ＰＯＳサーバー７２０、移動端末機１２０に内蔵されているタグ情報を読み出すＲＦＩＤリーダー７８０、及び厨房サーバー７６０を含んでなる。
【００５２】
上記ＲＦＩＤリーダー７８０は、環境に影響されにくく、高速環境の下でも認識が可能である。よって、一応用例として、上記移動端末機１２０のユーザーが運転中にメニューを注文したうえでファーストフード店又は飲食店に到着すれば、ユーザーが自動車から下車しなくても、上記ＲＦＩＤリーダー７８０は上記移動端末機１２０に内蔵されているタグ情報を読み出すことができる。
【００５３】
ＰＯＳサーバー７２０は、上記ＲＦＩＤリーダー７８０から伝送されてきたタグ情報と上記メインサーバー５００から提供されたタグ情報とを相互比較して承認可否を決定し、承認された場合は、注文情報を厨房サーバー７６０に伝送する。
【００５４】
上記厨房サーバー７６０の機能は第１実施例と同一であることから、その説明については省略する。また、上記メインサーバー５００における上記ユーザーの注文にともなう決済方法も第１実施例と同一であることから、その説明についても省略する。
【００５５】
以下、上述のような第２実施例による本発明の作動状態をより詳しく説明する。
移動端末機１２０は、ＰＯＳシステム７００が構築されたファーストフード店又は飲食店に到着する前に、移動通信網３００を介してメインサーバー５００に接続する（Ｓ４１０）。
【００５６】
この時、上記移動端末機１２０が、移動通信網３００を介してメインサーバー５００に接続してメニューを選択し決済を行なうことによって注文を完了する（Ｓ４２０）。上記メインサーバー５００を通した決済遂行方法は第１実施例と同一であることから、その説明については省略する。
【００５７】
決済が完了した上記移動端末機１２０が、上記移動端末機１２０の固有のタグ情報及び位置情報を上記メインサーバー５００に伝送する（Ｓ４３０）。
【００５８】
上記メインサーバー５００は、上記位置情報に基づいて予想到着時間を演算し、上記タグ情報に基づいてユーザー認証を行なう（Ｓ４４０、Ｓ４５０）。一応用例として、移動端末機１２０から到着予定時間が上記メインサーバー５００に登録されることができる。
【００５９】
上記メインサーバー５００は、上記ユーザー認証が完了すれば、上記注文に関する情報、上記予想到着時間、及び上記タグ情報をＰＯＳ（Point Of Sales）サーバーに伝送し、上記ＰＯＳサーバー７２０は厨房サーバー７６０に上記注文に関する情報を伝送して、厨房で上記注文情報による飲食物が準備されるようにする。（Ｓ４６０）。
【００６０】
上記厨房サーバー７６０に注文が完了したことが登録されれば、上記ＰＯＳサーバー７２０に注文完了メッセージが登録され、上記移動端末機１２０に上記メッセージが伝送される。
【００６１】
上記ＰＯＳサーバー７２０と連結されたＲＦＩＤリーダー７８０を介して、上記移動端末機１２０に内蔵されているタグ情報を読み出し、上記ＰＯＳサーバー７２０が、上記メインサーバー５００から提供されたタグ情報と上記移動端末機１２０から読み出されたタグ情報とを相互比較して、一致する場合は承認し、上記移動端末機１２０のユーザーに完成した製品、即ち飲食物を提供する（Ｓ４７０、Ｓ４８０）。
【００６２】
[第３実施例]
図１０は、本発明の他の実施例によるＲＦＩＤを用いた注文方法を説明するためのフローチャートである。図１０では、端末機の位置情報を用いて近距離にある加盟店をユーザーが選択できる機能も実現可能である。
【００６３】
本実施例においても、第２実施例による移動端末機１２０と同様に固有のタグ情報が保存されており、第１実施例のようにタグを読み込むＲＦＩＤ装置を内蔵又は外装する必要はない。
【００６４】
移動端末機１２０が遠隔注文のためのアプリケーションを駆動して自身の位置情報をメインサーバーに伝送する（Ｓ５１０、Ｓ５２０）。上記移動端末機１２０に上記アプリケーションが存在しない場合、又はバージョンのアップデートが必要な場合は、上記移動端末機１２０はメインサーバー５００から上記アプリケーションをダウンロードする。
【００６５】
上記移動端末機１２０が上記アプリケーションにより提供されるメニューを選択すれば、上記メニュー及び上記位置情報に相応する加盟店リストが上記移動端末機１２０の画面にディスプレイされる（Ｓ５３０）。
【００６６】
一応用例としては、上記加盟店リストのうち一つが選択されれば、上記加盟店に相応する下位メニューがディスプレイされ、上記下位メニューのうち一つが選択されれば、上記決済要請メッセージを上記移動端末機１２０に伝送する。
【００６７】
他の応用例としては、上記移動端末機１２０が上記加盟店リストから加盟店を選択すれば、上記加盟店の位置情報が上記移動端末機１２０にディスプレイされるが、この時、上記移動端末機１２０に上記加盟店の位置情報が保存されていない場合は、メインサーバー５００が上記加盟店の位置情報を提供する（Ｓ５４０）。
【００６８】
上記メインサーバー５００は、上記移動端末機１２０に上記メニューに関する決済要請メッセージを伝送し、決済が完了すれば（Ｓ５５０、Ｓ５６０）、上記移動端末機１２０のＲＦＩＤタグに保存されている加入者情報及び上記注文内訳を上記ＰＯＳシステム７００に伝送する（Ｓ５７０）。
【００６９】
上記加入者情報は、上記移動端末機のＭＩＮ（Mobile Identification Number）及びＭＤＮ（Mobile Directory Number）のうち少なくとも一つを含む。
【００７０】
上記ＰＯＳシステム７００が、上記ＲＦＩＤタグから上記加入者情報を読み出し、上記メインサーバー５００から伝送されてきた加入者情報と比較して、一致する場合は、上記注文内訳に相応する製品提供の承諾メッセージを上記ＰＯＳシステム７００の画面にディスプレイし、一応用例として、上記承諾メッセージを移動端末機１２０にも提供する（Ｓ５８０）。
【００７１】
また、上記メインサーバー５００は、上記決済が完了すれば、上記移動端末機１２０及び上記加盟店の位置情報に基づいて予想到着時間を演算して上記ＰＯＳシステム７００に伝送し、上記加盟店の位置情報は上記移動端末機１２０の画面に地図でディスプレイする。また、上記移動端末機１２０が上記メインサーバー５００に道案内サービスを要請すれば、上記移動端末機１２０の位置から上記加盟店までの経路を提供する。
【００７２】
上記ＰＯＳシステム７００から上記メニューに相応する製品の準備完了メッセージを受信した上記メインサーバー５００は、上記準備完了メッセージを上記移動端末機１２０に伝送することができる。
【００７３】
［第４実施例］
図１１は、本発明の他の実施例によるＲＦＩＤを用いた注文方法を説明するためのフローチャートであり、図１２は、移動端末機にディスプレイされるＷＡＰページを示した図である。図１１でも、図１０と同様に、端末機の位置情報を用いて加盟店を選択することができる。
【００７４】
図１１及び図１２を参照すると、移動端末機１２０は、遠隔注文のためのアプリケーションを駆動して、ＰＯＳシステム７００が構築されたファーストフード店又は飲食店などの加盟店に到着する前にメニュー及びブランドを選択する（Ｓ６１０、Ｓ６２０）。
【００７５】
図１２は、このような選択画面を具体的に示した一例であるが、ここでユーザーは先ずコーヒーやハンバーガーなど飲食物の種類を選択し、コーヒーを選択した場合、次はコーヒー店のブランドを選択する。その後、ユーザーがスターバックスというブランドを選択した場合、次は同ブランドで提供されるメニューリストがあらわれ、ここでメニューを選択する。もちろん、このようなメニュー選択方式は一例に過ぎず、同方式にのみ限定されるものではない。
【００７６】
図１１に戻って説明すると、上記移動端末機１２０が選択したメニュー及び加盟店情報は移動通信網３００を介してメインサーバー５００に伝送され、上記メインサーバー５００は上記選択に相応する決済要請メッセージを上記移動端末機１２０に伝送して決済を行なうようにする（Ｓ６３０、Ｓ６４０）。
【００７７】
決済完了後、上記メインサーバー５００が、位置測位サーバー（図示省略）を用いて上記移動端末機１２０の位置を測定した後、その位置情報を端末機へダウンロードする（Ｓ６５０）。また、上記位置情報による加盟店情報もダウンロードする（Ｓ６６０）。
【００７８】
すると、上記移動端末機１２０に、上記位置情報に相応する加盟店リストがディスプレイされ、上記移動端末機１２０が上記加盟店リストから加盟店を選択すれば、該当加盟店の位置情報が上記移動端末機１２０にディスプレイされる。
【００７９】
また、上記移動端末機１２０が上記加盟店を選択することによって、上記メインサーバー５００は上記移動端末機１２０のＲＦＩＤタグに保存されている加入者情報及び上記注文内訳を上記ＰＯＳシステム７００に伝送する（Ｓ６７０）。
【００８０】
上記ＰＯＳシステム７００が、上記ＲＦＩＤタグから上記加入者情報を読み出し、上記ＰＯＳシステム７００に保存されている加入者情報と比較し、その比較結果を上記ＰＯＳシステム７００にディスプレイし、一応用例として、上記比較結果を上記移動端末機１２０へ提供する（Ｓ６８０）。
【００８１】
上記メインサーバー５００は、上記位置情報に基づいて予想到着時間を演算し、上記タグ情報に基づいてユーザー認証を行なう。一応用例として、移動端末機１２０から到着予定時間が上記メインサーバー５００に登録されることができる。
【００８２】
上記メインサーバー５００は、上記ユーザー認証が完了すれば、上記注文に関する情報、上記予想到着時間、及び上記タグ情報をＰＯＳシステム７００に伝送し、上記ＰＯＳシステム７００は厨房サーバーに上記注文に関する情報を伝送して、厨房で上記注文による飲食物が準備されるようにする。
【００８３】
上記厨房サーバーに注文が完了したことが登録されれば、上記ＰＯＳシステム７００に注文完了メッセージが登録され、上記移動端末機１２０に上記メッセージが伝送される。
【００８４】
上記ＰＯＳシステム７００と連結されたＲＦＩＤリーダーを介して、上記移動端末機１２０に内蔵されているタグ情報を読み出し、上記メインサーバー５００から伝送されてきた加入者情報と上記移動端末機から読み出されたタグ情報とを比較して、一致する場合は承認し、上記移動端末機１２０のユーザーに完成した製品、即ち飲食物を提供する。
【００８５】
以上、詳しく説明した通り、本発明のＲＦＩＤを用いた注文方法及びそのシステムによれば、マグドナルド、バーガーキングなどのファーストフード店で飲食物を注文するために直接並ぶ必要がなく、メニュー注文前にメニューに関する事前知識を望むだけ得ることができ、移動端末機を通した決済が可能であるため、ユーザーの便宜を図れるとの効果がある。
【００８６】
更に、ファーストフード店のようなテイクアウトが可能な飲食店では、飲食店に到着する前に予め移動端末機を通して所望の飲食物を注文し、希望する場合は決済まで完了することによって、飲食店に到着次第、飲食物をテイクアウトできるという長所がある。
【００８７】
以上、図面を参照しながら本発明の望ましい実施例について説明したが、本発明は、上述した特定の実施例に限定されるものではなく、請求範囲で請求する本発明の要旨を逸脱することなく、当該発明の属する技術分野についての通常の知識を有する者により多様な変形実施が可能であるのは勿論、このような変形実施は本発明の技術的思想や展望とは個別的なものと理解されてはならない。
【図１】
0005680958.tif 000002
【図２】
0005680958.tif 000003
【図３】
0005680958.tif 000004
【図４】
0005680958.tif 000005
【図５】
0005680958.tif 000006
【図６】
0005680958.tif 000007
【図７】
0005680958.tif 000008
【図８】
0005680958.tif 000009
【図９】
0005680958.tif 000010
【図１０】
0005680958.tif 000011
【図１１】
0005680958.tif 000012
【図１２】
0005680958.tif 000013